(57)【要約】【課題】  金属とカーボン繊維材質結合の複合式ゴルフクラブヘッドの提供。【解決手段】  ゴルフクラブヘッド内部のヘッド本体とフェイス後側底端の相互嵌挿部分に、カーボン繊維材質の補強片が設けられ、該補強片によりヘッド本体とフェイス後側底端の嵌挿部分の結合が補強されてこの部分の両者の結合面積が増され、且つフェイス側底端の重量が増され、重心が自然にヘッド後側底端に落ちる。これにより、金属のフェイスとカーボン繊維材質のヘッド本体の結合面積が増し、両者の結合強度が増すと共にヘッドの重心が後側下方に落ちる。【選択図】        図４
0003103394.tif 000002
【実用新案登録請求の範囲】
【請求項１】
金属材質のフェイスと該フェイスと結合されてクラブヘッドを形成するカーボン繊維材質のヘッド本体を具え、そのうち、フェイスの一端が上向きに延伸されてシャフトが挿入されるネックが形成され、フェイスの端縁のヘッド本体との結合部分に一端縁が上向きの段差面が形成された金属とカーボン繊維材質結合の複合式ゴルフクラブヘッドにおいて、  結合後のクラブヘッドの後側内部のヘッド本体とフェイスの結合部分に補強片が設けられ、該補強片の上端がヘッド本体内壁と結合され、補強片の下端がフェイスの嵌め板内壁と結合され、該補強片によりヘッド本体とフェイス後側底端の嵌挿部分の結合が強化されてヘッド本体とフェイスの結合面積が増され、且つクラブヘッド後側底端の重量が増されて重心がクラブヘッド後側底端に位置づけられたことを特徴とする、金属とカーボン繊維材質結合の複合式ゴルフクラブヘッド。
【請求項２】
請求項１記載の金属とカーボン繊維材質結合の複合式ゴルフクラブヘッドにおいて、補強片がヘッド本体とフェイスが平行に嵌挿結合される時に応用される時、補強片の中間部分に湾曲段差面が設けられ、湾曲段差面がフェイスの嵌め板上縁に当接されることを特徴とする、金属とカーボン繊維材質結合の複合式ゴルフクラブヘッド。
【請求項３】
請求項１記載の金属とカーボン繊維材質結合の複合式ゴルフクラブヘッドにおいて、補強片が直接ヘッド本体の後側より下向きに延伸された後部リップ内側より一体に下向きに延伸され、補強片と後部リップの間に溝口が上向きの挟持溝が形成され、上下嵌挿時に挟持溝にフェイスの嵌め板上縁の嵌入に供されることを特徴とする、金属とカーボン繊維材質結合の複合式ゴルフクラブヘッド。
【考案の詳細な説明】
【技術分野】
【０００１】
本考案は一種の金属とカーボン繊維材質結合の複合式ゴルフクラブヘッドに係り、特に、金属のフェイスとカーボン繊維材質のヘッド本体の結合面積が増し、両者の結合強度が増すと共にヘッドの重心が後側下方に落ちるよう形成された複合式ゴルフクラブヘッドに関する。
【背景技術】
【０００２】
周知の複合式ゴルフクラブヘッドの構造は、図１、２に示されるようであり、フェイス１０及びヘッド本体２０が結合されて成り、そのうち、フェイス１０は金属材質（チタン合金或いはステンレス）で製造され、フェイス１０の一端が上向きに延伸されて、シャフトを挿入するためのネック１０１が形成され、底部は後方に延伸されて嵌め板１０２が形成され、フェイス１０の上面端縁及び嵌め板１０２の端縁より段差面１０３、１０２１が延設されている。ヘッド本体２０は軽量で高強度のカーボン繊維で構成され、クラウン（ｃｒｏｗｎ）２０１、両側のスカート（ｓｋｉｒｔ）２０２及びスカート２０２底端よりヘッド本体２０内側に向けて折り曲げられたソールプレート（ｓｏｌｅ  ｐｌａｔｅ）２０３を具え、ソールプレート２０３の中間にフェイス１０の嵌め板１０２との嵌挿結合に供される嵌め溝２０４がある。フェイス１０とヘッド本体２０の接合状態は図３に示されるようであり、まず、フェイス１０の段差面１０３、１０２１に接着剤を塗布し、更にフェイス１０の上面端縁とヘッド本体２０の上面端縁を当着させて接合し、且つフェイス１０の嵌め板１０２をヘッド本体２０の嵌め溝２０４中に嵌設する。こうして、フェイス１０の段差面１０３、１０２１がヘッド本体２０の上下の内壁面に接合され、複合式ゴルフクラブヘッドが形成される（図２）。このような周知の複合式ゴルフクラブヘッドは往々にしてフェイスとヘッド本体の接合する段差面１０３、１０２１の面積が小さ過ぎるために、フェイス１０とヘッド本体２０の間の結合強度が不足し、外力を受けて変形を形成し且つ大抵図３に示されるＡ部分より脱落する。もし段差面１０３、１０２１の面積を増す方式で両者間の結合面積を増すと、金属材質の密度は高く（チタン合金密度は４．８、ステンレス密度は７．８）、重量が重いため、ゴルフクラブヘッド全体重量が重くなり過ぎる問題が発生する。
【０００３】
また、打つ時、ヘッドの重心は後側で且つ下方にあるのがよく、このような効果を達成するため、ヘッドの内側には後側及び下方位置にウエイト処理がなされ、このウエイトは別に加工処理されるため、製造上、コストが増した。
【考案の開示】
【考案が解決しようとする課題】
【０００４】
本考案は、上述の周知の技術の問題を解決し、並びにクラブヘッドの重量を増加しない前提の下で、フェイスとヘッド本体の結合面積を増して両者の結合強度を高めると共に重心をヘッド後側下方に落とした複合式ゴルフクラブヘッドを提供するものである。
【０００５】
即ち本考案の目的は、一種の金属とカーボン繊維材質結合の複合式ゴルフクラブヘッドを提供することにあり、それは、金属材質のフェイスとカーボン繊維材質のヘッド本体を具え、そのうち、フェイスの一端が上向きに延伸されてシャフトが挿入されるネックが形成され、底部が後方に延伸されて嵌め板が形成され、フェイスの上面端縁及び嵌め板前端端縁よりそれぞれ段差面が延伸されてヘッド本体と接着され、ヘッド本体は一体にクラウン（ｃｒｏｗｎ）、両側のスカート（ｓｋｉｒｔ）、及び底部のソールプレート（ｓｏｌｅ  ｐｌａｔｅ）を具え、底板に嵌め溝が凹設されてフェイスの嵌め板の嵌挿結合に供される。本考案の特徴は、ゴルフクラブヘッド内部のヘッド本体とフェイス後側底端の相互嵌挿部分に、カーボン繊維材質の補強片が設けられ、該補強片によりヘッド本体とフェイス後側底端の嵌挿部分の結合が補強されてこの部分の両者の結合面積が増され、且つフェイス側底端の重量が増され、重心がヘッド後側底端に落ちるよう形成されたことにある。
【課題を解決するための手段】
【０００６】
請求項１の考案は、金属材質のフェイスと該フェイスと結合されてクラブヘッドを形成するカーボン繊維材質のヘッド本体を具え、そのうち、フェイスの一端が上向きに延伸されてシャフトが挿入されるネックが形成され、フェイスの端縁のヘッド本体との結合部分に一端縁が上向きの段差面が形成された金属とカーボン繊維材質結合の複合式ゴルフクラブヘッドにおいて、
結合後のクラブヘッドの後側内部のヘッド本体とフェイスの結合部分に補強片が設けられ、該補強片の上端がヘッド本体内壁と結合され、補強片の下端がフェイスの嵌め板内壁と結合され、該補強片によりヘッド本体とフェイス後側底端の嵌挿部分の結合が強化されてヘッド本体とフェイスの結合面積が増され、且つクラブヘッド後側底端の重量が増されて重心がクラブヘッド後側底端に位置づけられたことを特徴とする、金属とカーボン繊維材質結合の複合式ゴルフクラブヘッドとしている。
請求項２の考案は、請求項１記載の金属とカーボン繊維材質結合の複合式ゴルフクラブヘッドにおいて、補強片がヘッド本体とフェイスが平行に嵌挿結合される時に応用される時、補強片の中間部分に湾曲段差面が設けられ、湾曲段差面がフェイスの嵌め板上縁に当接されることを特徴とする、金属とカーボン繊維材質結合の複合式ゴルフクラブヘッドとしている。
請求項３の考案は、請求項１記載の金属とカーボン繊維材質結合の複合式ゴルフクラブヘッドにおいて、補強片が直接ヘッド本体の後側より下向きに延伸された後部リップ内側より一体に下向きに延伸され、補強片と後部リップの間に溝口が上向きの挟持溝が形成され、上下嵌挿時に挟持溝にフェイスの嵌め板上縁の嵌入に供されることを特徴とする、金属とカーボン繊維材質結合の複合式ゴルフクラブヘッドとしている。
【考案の効果】
【０００７】
本考案の金属とカーボン繊維材質結合の複合式ゴルフクラブヘッドは、周知の技術の問題を解決し、並びに予期された作用と効果を達成する。且つその構造はその出願前に頒布された刊行物に記載がなく、また公開使用されていないため新規性を有する。ゆえに本考案は実用新案登録の要件を具備するものである。
【考案を実施するための最良の形態】
【０００８】
図４に示されるように、本考案はフェイス１、フェイス１と結合されてクラブヘッドを形成するヘッド本体２、及びフェイス１とヘッド本体２後側底端結合部分の内壁に設けられる補強片３を具えている。
【０００９】
該フェイス１は金属材質（例えばチタン合金或いはステンレス合金）で形成され、一端が上向きに延伸されてシャフトが挿入されるネック１１が形成され、底部が後方に延伸されて嵌め板１２が形成され、フェイス１の上面端縁及び嵌め板１２前端端縁にそれぞれ段差面１３、１２１が延設されている。
【００１０】
該ヘッド本体２は軽量で且つ高強度のカーボン繊維材質で形成され、一体にクラウン（ｃｒｏｗｎ）２１、両側のスカート（ｓｋｉｒｔ）２２、及び底部のソールプレート（ｓｏｌｅ  ｐｌａｔｅ）２３を具え、底板２３に嵌め溝２４が凹設されてフェイス１の嵌め板１２の嵌挿結合に供される。
【００１１】
該補強片３は（図４、５を参照されたい）、軽量で且つ高強度のカーボン繊維材質で形成され、補強片３の中間に湾曲した段差面３０が形成され、段差面３０の下方が下向きに延伸されて下延伸面３１が、段差面３０の上方が上向きに延伸されて上延伸面３２が形成されている。
【００１２】
本考案の結合方式については図５を参照されたい。まず、補強片３の下延伸面３１及び段差面３０の結合面に接着剤を塗布し、補強片３をフェイス１の嵌め板１２の後側端縁に接着し、ヘッド本体２をフェイス１と嵌挿する前に、フェイス１の段差面１３、１２１及び補強片３の上延伸面３２にそれぞれ接着剤を塗布してから、ヘッド本体２とフェイス１を嵌挿して相互に接着し、且つ補強片３で全体のクラブヘッド後側下方位置においてヘッド本体２とフェイス１の結合部分の結合を補強し、これにより打つ時の受力変形が最大のクラブヘッド後側位置に増加した結合面積を具備させ、結合強度を高め、ヘッド本体２がこの部分より脱落するのを防止し、並びにヘッド重心が後側底端に落ちるようにし、ヘッドで打球時の順調性を高める。
【００１３】
以上の説明から分かるように、本考案の設計の重点は以下にある。即ち、ヘッド本体２と補強片３のいずれもがカーボン繊維材質で形成されることにより、両者間の結合力が相当に強く、且つ一旦接着後には一体の構造の特性と見なすことができ、ヘッド本体２と補強片３を接着して一体構造となすことで、金属（即ちフェイス１）とカーボン繊維材質（即ちヘッド本体２と補強片３）のヘッド後側下方の結合部分（即ち打つ時に最も変形し脱落しやすい部分）の接着面積を増し、これにより両者間の結合強度を高めると共にクラブヘッド全体強度を高める。
【００１４】
図６、７は本考案の第２実施例の分解図及び組合せ断面図である。この実施例のフェイス１の打球面に近い上端の一隅にネック１１が設けられ、前側に内向きに突出する結合面１４が設けられ、後側に段差面１２１が設けられ、該段差面１２１の端部は上向きとされている。ヘッド本体２は上から下にフェイス１の上端を被覆し且つ結合面１４と接着され、後側端はフェイス１の段差面１２１に対応して下向きに延伸された後部リップ２１０を具えている。該後部リップ２１０の内側端はヘッド本体２のクラウン２１より一体に下向きに補強片３が延伸され、該補強片３と後部リップ２１０間に溝口が下向きの挟持溝３３が形成され、これによりヘッド本体２とフェイス１が垂直に相互に嵌合される時、まず、フェイス１の上端の結合面１４及び後側端の段差面１２１の内外の壁面にそれぞれ接着剤が塗布され、続いて、クラウン２１が垂直方向にヘッド本体２と嵌挿され、これによりヘッド本体２がクラウン２１でフェイス１の結合面１４と接着され、補強片３と後部リップ２１０に区画された挟持溝３３とフェイス１後側端の段差面１２１が嵌着される（図７）。これにより補強片３がヘッド内側の後側底端にあって結合面積を増し、結合強度を増し、ヘッド後側底端の重心を増す。
【００１５】
以上の説明から分かるように、本発明の補強片はヘッドの後側底端に設置されて、重心をヘッドの後側底端に位置させるほか、ヘッドが打球時に応力を受けて最も変形、脱落しやすい後側に対して、該補強片は結合面積を増加し、結合強度を増加する機能を有し、ヘッドに変形によるヘッド本体２とフェイス１との離脱を発生させない。
【図面の簡単な説明】
【００１６】
【図１】周知の複合式ゴルフクラブヘッドの分解状態図である。
【図２】周知の複合式ゴルフクラブヘッドの組合せ断面図である。
【図３】周知の複合式ゴルフクラブヘッドの接着部分の局部断面図である。
【図４】本考案の実施例１の分解図である。
【図５】本考案の実施例１の接着状態の断面図である。
【図６】本考案の実施例２の分解図である。
【図７】本考案の実施例２の組合せ断面図である。
【符号の説明】
【００１７】
１０  フェイス        １０１  ネック    １０２  嵌め板
１０２１  段差面      １０３  段差面    ２０  ヘッド本体
２０１  クラウン      ２０２  スカート  ２０３  ソールプレート
１  フェイス          １１  ネック      １２  嵌め板
１２１  段差面        １３  段差面      ２  ヘッド本体
２１  クラウン        ２２  スカート    ２３  ソールプレート
２４  嵌め溝          ３  補強片        ３１  下延伸面
３２  上延伸面        ３０  段差面      ２１０  後部リップ
３３  挟持溝          １４  結合面
【図１】
0003103394.tif 000003
【図２】
0003103394.tif 000004
【図３】
0003103394.tif 000005
【図４】
0003103394.tif 000006
【図５】
0003103394.tif 000007
【図６】
0003103394.tif 000008
【図７】
0003103394.tif 000009